(57)【要約】【課題】  効率的でリユースの達成率の高いリユース情報管理方法を提供する。【解決手段】  保守会社サーバー１０はリユースセンター紹介端末３０からリユースしたい品物であるリユース品の登録依頼を受けると、リユース品の情報を予め用意されたリユース情報ＤＢ（データベース、以下同じ）に蓄積し、ユーザーサーバー２０から撤去／処分したい品物である撤去／処分品の撤去／処分依頼を受けると撤去／処分依頼の情報を基に予め用意されたユーザー情報ＤＢから機器構成を抽出し前記機器構成と前記リユース情報ＤＢにおけるリユース品の情報と照合することにより前記撤去／処分品がリユース可能かどうかを決定する。【選択図】      図１
2005071030.tif 000002
【特許請求の範囲】
【請求項１】
第１のサーバと第２のサーバと第１の端末がネットワークを介して接続され、前記第１のサーバは前記第１の端末からリユースしたい品物であるリユース品の登録依頼を受けると、前記リユース品の情報を予め用意されたリユース情報ＤＢ（データベース、以下同じ）に蓄積し、前記第２のサーバから撤去／処分したい品物である撤去／処分品の撤去／処分依頼を受けると、前記撤去／処分依頼の情報を基に予め用意されたユーザー情報ＤＢから機器構成を抽出し前記機器構成と前記リユース情報ＤＢにおける前記リユース品の情報と照合することにより前記撤去／処分品がリユース可能かどうかを決定することを特徴とするリユース情報管理方法。
【請求項２】
前記第１のサーバは、前記撤去／処分品が前記リユース品と同じか前記リユース品を含む機器である場合に前記撤去／処分品がリユース可能であると決定することを特徴とする請求項１記載のリユース情報管理方法。
【請求項３】
前記第１のサーバは前記撤去／処分品がリユース可能であると決定した場合は、前記ネットワークを介して予め用意された配送センターに前記撤去／処分品の配送依頼をすることを特徴とする請求項１記載のリユース情報管理方法。
【請求項４】
第１のサーバと第２のサーバと第１の端末がネットワークを介して接続されたリユース情報管理システムであって、前記第１のサーバは前記第１の端末からリユースしたい品物であるリユース品の登録依頼を受けると、前記リユース品の情報を予め用意されたリユース情報ＤＢ（データベース、以下同じ）に蓄積するリユース情報登録手段と、前記第２のサーバから撤去／処分したい品物である撤去／処分品の撤去／処分依頼を受けると前記撤去／処分依頼の情報を基に予め用意されたユーザー情報ＤＢから機器構成を抽出し前記機器構成と前記リユース情報ＤＢにおける前記リユース品の情報と照合することにより前記撤去／処分品がリユース可能かどうかを決定するリユース判定手段を含んで構成されることを特徴とするリユース情報管理システム。
【請求項５】
前記第１のサーバは、前記撤去／処分品が前記リユース品と同じか前記リユース品を含む機器である場合に前記撤去／処分品がリユース可能であると決定することを特徴とする請求項４記載のリユース情報管理システム。
【請求項６】
前記第１のサーバは前記撤去／処分品がリユース可能であると決定した場合は、前記ネットワークを介して予め用意された配送センターに前記撤去／処分品の配送依頼をすることを特徴とする請求項４記載のリユース情報管理システム。
【請求項７】
ネットワークを介して第１の端末からリユースしたい品物であるリユース品の登録依頼を受けると前記リユース品の情報を予め用意されたリユース情報ＤＢ（データベース、以下同じ）に蓄積する第１の機能と、前記ネットワークを介して第２のサーバから撤去／処分したい品物である撤去／処分品の撤去／処分依頼を受けると前記撤去／処分依頼の情報を基に予め用意されたユーザー情報ＤＢから機器構成を抽出し前記機器構成と前記リユース情報ＤＢにおける前記リユース品の情報と照合することにより前記撤去／処分品がリユース可能かどうかを決定する第２の機能とをコンピュータに実行させるためのプログラム。
【請求項８】
前記第２の機能にあって、前記撤去／処分品が前記リユース品と同じか前記リユース品を含む機器である場合に前記撤去／処分品がリユース可能であると決定する機能をコンピュータに実行させるための請求項７記載のプログラム。
【請求項９】
前記第２の機能にあって、前記撤去／処分品がリユース可能であると決定した場合は、前記ネットワークを介して予め用意された配送センターに前記撤去／処分品の配送依頼をする機能をコンピュータに実行させるための請求項７記載のプログラム。
【発明の詳細な説明】
【技術分野】
【０００１】
本発明は、現在企業が所有している各種システムの機器の有効活用を図るリユース情報管理方法およびリユース情報管理システムおよびリユース情報管理プログラムに関し、特に、使用しなくなったシステムの撤去要求部品が含まれる保守会社のサーバーが保持する機器構成とリユース要求機器とを照合することにより、スピーディーに撤去要求部品がリユースできるかどうかを特定できるインターネットを利用したリユース情報管理方法およびリユース情報管理システムおよびリユース情報管理プログラムに関する。
【背景技術】
【０００２】
最近、ゴミの氾濫、生活環境の悪化が目に余るようになるにつれ、なるべくゴミを出さないように物をリユース（リサイクル）する取り組みが盛んになってきた。特に、インターネットの普及に伴い、このネットを介して、捨てたい物と、物をリユースしたい人とを結びつけ、物の有効活用をサポートするコンピュータシステムが考案されている（例えば、特許文献１参照。）。
【０００３】
この公報に示されるリユース情報管理システムは、捨てたい物（不要品）の情報を、インターネットを介してコンピュータシステムが公開し、リユースしたい業者が、それを見て使えると思ったとき、購入する方式である。
【０００４】
【特許文献１】特開２００２−３６６７８７号公報
【発明の開示】
【発明が解決しようとする課題】
【０００５】
上述した従来のリユース情報管理システムは、捨てたい不要品の情報を、インターネットを介してコンピュータシステムが公開し、リユースしたい業者が、それを見て購入する方式であったので、捨てたいシステム機器にリユースしたい部品が含まれていても、予め調べておかなければ見逃してしまい、リサイクルが不十分になるという問題があった。
【０００６】
また、リユース業者が、リユースしたい部品が、どの機器構成の部品であるかを判別するためには、各種仕様書から手作業で照合しなければならないため、効率が悪いという問題があった。
【０００７】
本発明の目的は、現在企業が所有している各種システムの機器の有効活用を図るために、リユースしたい機器や部品を登録しておけば、ユーザ（企業）から不要な機器や部品が入力されたとき、それを含む機器構成を予め保持するデータベースから取り出し、取り出した機器構成とリユースしたい機器や部品と照合することにより、不要な機器や部品がリユースできるかどうかシステムが自動的に判定するようにし、効率的でリユースの達成率の高いリユース情報管理方法およびリユース情報管理システムおよびリユース情報管理プログラムを提供することにある。
【０００８】
本システムを利用することにより、迅速に、且つ無駄なくリユース品を確保することができ、廃棄品の有効活用が容易となる。
【課題を解決するための手段】
【０００９】
本願の第１の発明は、第１のサーバと第２のサーバと第１の端末がネットワークを介して接続され、前記第１のサーバは前記第１の端末からリユースしたい品物であるリユース品の登録依頼を受けると、前記リユース品の情報を予め用意されたリユース情報ＤＢ（データベース、以下同じ）に蓄積し、前記第２のサーバから撤去／処分したい品物である撤去／処分品の撤去／処分依頼を受けると、前記撤去／処分依頼の情報を基に予め用意されたユーザー情報ＤＢから機器構成を抽出し前記機器構成と前記リユース情報ＤＢにおける前記リユース品の情報と照合することにより前記撤去／処分品がリユース可能かどうかを決定することを特徴とする。
【００１０】
本願の第２の発明は、第１の発明の前記第１のサーバは、前記撤去／処分品が前記リユース品と同じか前記リユース品を含む機器である場合に前記撤去／処分品がリユース可能であると決定することを特徴とする。
【００１１】
本願の第３の発明は、第１の発明の前記第１のサーバは前記撤去／処分品がリユース可能であると決定した場合は、前記ネットワークを介して予め用意された配送センターに前記撤去／処分品の配送依頼をすることを特徴とする。
【００１２】
本願の第４の発明は、第１のサーバと第２のサーバと第１の端末がネットワークを介して接続されたリユース情報管理システムであって、前記第１のサーバは前記第１の端末からリユースしたい品物であるリユース品の登録依頼を受けると、前記リユース品の情報を予め用意されたリユース情報ＤＢ（データベース、以下同じ）に蓄積するリユース情報登録手段と、前記第２のサーバから撤去／処分したい品物である撤去／処分品の撤去／処分依頼を受けると前記撤去／処分依頼の情報を基に予め用意されたユーザー情報ＤＢから機器構成を抽出し前記機器構成と前記リユース情報ＤＢにおける前記リユース品の情報と照合することにより前記撤去／処分品がリユース可能かどうかを決定するリユース判定手段を含んで構成されることを特徴とする。
【００１３】
本願の第５の発明は、第４の発明の前記第１のサーバは、前記撤去／処分品が前記リユース品と同じか前記リユース品を含む機器である場合に前記撤去／処分品がリユース可能であると決定することを特徴とする。
【００１４】
本願の第６の発明は、第４の発明の前記第１のサーバは前記撤去／処分品がリユース可能であると決定した場合は、前記ネットワークを介して予め用意された配送センターに前記撤去／処分品の配送依頼をすることを特徴とする。
【００１５】
本願の第７の発明は、ネットワークを介して第１の端末からリユースしたい品物であるリユース品の登録依頼を受けると前記リユース品の情報を予め用意されたリユース情報ＤＢ（データベース、以下同じ）に蓄積する第１の機能と、前記ネットワークを介して第２のサーバから撤去／処分したい品物である撤去／処分品の撤去／処分依頼を受けると前記撤去／処分依頼の情報を基に予め用意されたユーザー情報ＤＢから機器構成を抽出し前記機器構成と前記リユース情報ＤＢにおける前記リユース品の情報と照合することにより前記撤去／処分品がリユース可能かどうかを決定する第２の機能とをコンピュータに実行させるためのプログラムであることを特徴とする。
【００１６】
本願の第８の発明は、第７の発明の前記第２の機能にあって、前記撤去／処分品が前記リユース品と同じか前記リユース品を含む機器である場合に前記撤去／処分品がリユース可能であると決定する機能をコンピュータに実行させるためのプログラムであることを特徴とする。
【００１７】
本願の第９の発明は、第７の発明の前記第２の機能にあって、前記撤去／処分品がリユース可能であると決定した場合は、前記ネットワークを介して予め用意された配送センターに前記撤去／処分品の配送依頼をする機能をコンピュータに実行させるためのプログラムであることを特徴とする。
【発明の効果】
【００１８】
本発明は、リユースしたい機器や部品を登録しておけば、ユーザから不要な機器や部品が入力されたとき、システムが自動的に、予め保持しているユーザの機器構成と照合し、不要な機器や部品が機器構成のどの部品であるか、そしてリユースできるかどうか判定するようにしたことにより、リユースできるかどうか判定が効率的になり、かつリユースの達成率が向上する効果がある。
【発明を実施するための最良の形態】
【００１９】
次に、本発明を実施するための最良の形態について図面を参照して詳細に説明する。
【００２０】
本発明は図１に示すとおり、保守会社サーバー１０、ユーザーサーバー２０、リユースセンター紹介端末３０及び配送センター端末４０より構成されており、各々がインターネット１００を介して接続されている。
【００２１】
保守会社サーバー１０は、２４時間運用されるコンピュータシステムで、図２に示すように処理装置２０１と、顧客のシステム構成及び顧客情報が格納されているユーザー情報ＤＢ２０２、リユースセンター照会端末３０からインターネット１００経由で入力されるリユース情報ＤＢ２０３（ＤＢはデータベースの意、以下同じ）より構成されている。
【００２２】
処理装置２０１は、リユースセンター照会端末３０からインターネット１００経由で入力されるリユース情報をリユース情報ＤＢ２０３に登録するリユース情報登録手段（図示せず）、ユーザーサーバー２０よりインターネット１００を介して送信してくる撤去／処分依頼通知を基に、ユーザー情報ＤＢ２０２から機器構成を抽出し、リユース情報ＤＢ２０３と照合し、撤去／処分依頼品がリユースできるかどうか判定するリユース判定手段（図示せず）を有する。
【００２３】
また、その結果に基づいてリユースセンター紹介端末３０に照合結果を送信すると共に、配送センター端末４０に引取り依頼を送信する。
【００２４】
ユーザー情報ＤＢ２０２は図５の一例のように、おおもとの機器型番から個々の部品単位までの詳細データにて構成されている。
【００２５】
リユース情報ＤＢ２０３は図６の一例のように、必要部品名と、それを使用している装置名、必要数量から構成されている。
【００２６】
ユーザーサーバー２０は顧客シシテムで、ここから撤去情報を入力することで本システムの機能がスタートする。
【００２７】
リユースセンター照会端末３０は図３に示すとおり、処理装置３０１とリユース情報ＤＢ３０２から構成されている。
【００２８】
処理装置３０１は、リユースしたい部品を入力する機能及びその情報をインターネット１００を介して保守会社サーバーに送信する機能を有する。
【００２９】
リユース情報ＤＢ３０２は保守会社サーバー１０のリユース情報ＤＢ２０３と同一内容で、リユースデータのバックアップデータの位置付けである。
【００３０】
配送センター端末４０は、保守会社サーバー１０から送信された情報を受信し展開する機能を有する。送信情報を基に、どのユーザーにどの装置を取りに行くか判断し配車する。
「発明例の動作説明」
次に図１、図２、図３、図４及び図５、図６、図７を用いて本発明の動作を詳細に説明する。
【００３１】
まず、リユースセンター照会端末３０にて必要なリユース品の情報を自分の端末に入力する。
【００３２】
入力された情報はリユース情報ＤＢ３０２として蓄積される。（ステップＡ１）
そのデータは、インターネット１００を介してリアルタイムもしくはバッチ処理にて保守会社サーバー１０に送信され、リユース情報ＤＢ２０３として蓄積される。（ステップＡ２）
次に、ユーザーサーバー２０より撤去依頼が入力され、保守会社サーバー１０に送信される。（ステップＡ３）
保守会社サーバー１０は、ユーザーサーバー２０より送信された情報を基にユーザー情報ＤＢ２０２から機器構成を抽出しリユース情報ＤＢ２０３と照合する。（ステップＡ４、Ａ５）
照合の結果  合致したものについて、ユーザー情報と機器情報を配送センター端末４０に送信し配車依頼をする。（ステップＡ６、Ａ７、Ａ８）
また、図７に示すとおり画面でも内容が確認できる。
【００３３】
実施例として図８をもとに説明する。
【００３４】
現在、プリンタユニットの部品の１つである「トルクリミッタ」が必要とのリクエストがあると仮定する。
【００３５】
図８におけるおおもとのプリンタユニットが撤去となり廃棄処分となる情報が入った。
【００３６】
保守会社サーバー１０は図８の如くツリー構成を展開し、リクエストの品目をサーチする。
【００３７】
今回は欲しいものがヒットしたので、配送センターから引取り便が  撤去場所へ回収に行き、プリンタユニットをリクエストしたユーザーへ配送する。
【００３８】
このようにして、上位の型番を入力することにより、ツリー状の子部品まで一機にサーチすることを特徴とする。
【図面の簡単な説明】
【００３９】
【図１】本発明の一実施の形態を示すシステム構成図である。
【図２】図１における保守会社サーバー１０の構成図である。
【図３】図１におけるリユースセンター照会端末３０の構成図である。
【図４】本発明の一実施の形態を示す動作フローチャートである。
【図５】ユーザー情報ＤＢにおけるユーザー情報の一例を示す構成図である。
【図６】リユース情報ＤＢにおけるリユース情報の一例を示す図である。
【図７】照会結果画面出力の一例を示す図である。
【図８】図５のユーザー情報の一実施例を示す図である。
【符号の説明】
【００４０】
１０    保守会社サーバー
２０    ユーザーサーバー
３０    リユースセンター紹介端末
４０    配送センター端末
１００    インターネット
２０１    処理装置
２０２    ユーザー情報ＤＢ
２０３    リユース情報ＤＢ
３０１    処理装置
３０２    リユース情報ＤＢ
【図１】
2005071030.tif 000003
【図２】
2005071030.tif 000004
【図３】
2005071030.tif 000005
【図４】
2005071030.tif 000006
【図５】
2005071030.tif 000007
【図６】
2005071030.tif 000008
【図７】
2005071030.tif 000009
【図８】
2005071030.tif 000010